(57)【特許請求の範囲】
【請求項１】
海脚と陸脚との間に水平に配置される水平部材および前記海脚と前記陸脚との間に斜めに配置される斜材を備える脚部構造物と、この脚部構造物の上部に配置されるガーダおよびブームと、前記脚部構造物の下部に配置される走行装置と、前記ガーダ上に搭載される荷役装置とを備えるクレーンにおいて、
前記海脚または前記陸脚の少なくとも一方の側面であり前記水平部材の一端と対面する前記側面に配置されるブラケットと、このブラケットに形成され前記走行装置の走行方向を軸方向とする貫通孔と、この貫通孔と前記水平部材の前記一端に形成される貫通孔とに挿入され前記海脚または前記陸脚と前記水平部材とを連結するピンと、前記水平部材の前記一端の近傍と前記海脚または前記陸脚との間に架け渡される固定手段とを備えていて、
地震時に前記固定手段の固定を解除する構成を備えることを特徴とするクレーン。
【請求項２】
前記水平部材の両端が前記海脚および前記陸脚にそれぞれ連結される前記ピンと、前記水平部材の前記両端の近傍から前記海脚および前記陸脚にそれぞれ架け渡される前記固定手段とを備える請求項１に記載のクレーン。
【請求項３】
前記固定手段が、一端を前記水平部材に固定され他端に貫通孔を形成されるアームと、前記海脚または前記陸脚に設置され貫通孔を形成されるブラケットと、前記アームの貫通孔と前記ブラケットの貫通孔とに挿入され前記アームと前記ブラケットとを連結するせん断ピンとを備える請求項１または２に記載のクレーン。
【請求項４】
前記固定手段が、一端を前記海脚または前記陸脚に固定され他端に貫通孔を形成されるアームと、前記水平部材に設置され貫通孔を形成されるブラケットと、前記アームの貫通孔と前記ブラケットの貫通孔とに挿入され前記アームと前記ブラケットとを連結するせん断ピンとを備える請求項１または２に記載のクレーン。
【請求項５】
前記脚部構造物と前記走行装置との間にそれぞれ配置される免震装置を備えていて、
前記免震装置が地震時に前記走行方向を直角に横断する海陸方向に沿って変形する積層ゴムを備える請求項１〜４のいずれかに記載のクレーン。
【発明の詳細な説明】
【技術分野】
【０００１】
本発明は、コンテナの積み下ろしを行うクレーンに関する。
【背景技術】
【０００２】
従来のコンテナクレーンは、図７に示すように、海側にある海脚支柱１Ａ及び陸側にある陸脚支柱２Ａの剛性のほぼ一様な支柱に横梁３Ａを渡し、斜材４Ａとともにトラスとラーメンを組み合わせた構造とし、その上にブーム５Ａおよび機械室６Ａ等の稼動部が搭載されている（例えば、特許文献１の第２図（Ａ）参照）。
【０００３】
しかしながら、このような構造の場合、剛性が高いため、固有振動周期が短く（１〜２秒）、コンテナクレーンの一般的な支持地盤における地震時の振動の卓越周期に比較的近い周期を有している。
【０００４】
このため、地震によって海陸方向に強い揺れが生じた場合に、共振状態に陥り易く、構造体の各部に発生する応力及び構造体支持部の反力が大きくなる。
【先行技術文献】
【特許文献】
【０００５】
【特許文献１】実開昭６３−８２８２号公報
【発明の概要】
【発明が解決しようとする課題】
【０００６】
本発明は、これらの問題を解消するために成されたものであり、その目的は、地震時（例えば、大規模地震時）に、横梁（ポータルタイビーム）と脚部の接続部分との少なくとも一方をしなやかにすることにより、耐震性を向上させることができるクレーンを提供することにある。
【０００７】
ここで、大規模地震とは、例えば、平成１８年の港湾法改正により想定されている地震波であり、「レベル２地震動」と呼ばれるものである。
【課題を解決するための手段】
【０００８】
上記の目的を達成するための本発明に係るクレーンは、海脚と陸脚との間に水平に配置される水平部材および前記海脚と前記陸脚との間に斜めに配置される斜材を備える脚部構造物と、この脚部構造物の上部に配置されるガーダおよびブームと、前記脚部構造物の下部に配置される走行装置と、前記ガーダ上に搭載される荷役装置とを備えるクレーンにおいて、前記海脚または前記陸脚の少なくとも一方の側面であり前記水平部材の一端と対面する前記側面に配置されるブラケットと、このブラケットに形成され前記走行装置の走行方向を軸方向とする貫通孔と、この貫通孔と前記水平部材の前記一端に形成される貫通孔とに挿入され前記海脚または前記陸脚と前記水平部材とを連結するピンと、前記水平部材の前記一端の近傍と前記海脚または前記陸脚との間に架け渡される固定手段とを備えていて、地震時に前記固定手段の固定を解除する構成を備えることを特徴とする。
【発明の効果】
【００１３】
本発明によれば、通常時は、脚部構造物が剛構造であるから、ブーム及びガーダが揺れ難くなり、安定してコンテナを荷役することができる。他方、地震時（例えば、大規模地震時）には、水平部材（ポータルタイビーム）を固定していた固定手段、例えば、せん断ピンが破断したり、或いは油圧ダンパが固定から解放させるため、水平部材（ポータルタイビーム）がフリーとなる。それ故、ポータル構造（ラーメン構造）がしなやかになり、耐震性が向上するからクレーンの揺れが抑制される。
【図面の簡単な説明】
【００１４】
【図１】本発明に係るクレーンの第１の実施形態を示す正面図である。
【図２】図１のＡ部拡大図である。
【図３】本発明に係るクレーンの第２の実施形態を示す正面図である。
【図４】図１のＡ部拡大図である。
【図５】免震装置の一部断面を含む平面図である。
【図６】図５のＢ−Ｂ断面図である。
【図７】従来のクレーンの正面図である。
【発明を実施するための形態】
【００１５】
先ず、図１に本発明に係るコンテナクレーンの第１の実施形態を示す。このコンテナクレーン１は、脚部構造物２の上部にブーム６及びガーダ７を設置し、前記脚部構造物２の四隅の下部に走行装置８を設けている。
【００１６】
脚部構造物２は、海脚３ａと、陸脚３ｂと、この海脚及び陸脚間に水平に配した水平部材（「ポータルタイビーム」とも云う）５及び前記海脚及び陸脚間に斜めに配置した斜材４ｃによって構成されている。そして、ガーダ７上にトロリ（荷役装置）９を搭載している。
【００１７】
斜材４ｃは、その上端部がガーダ直下の海脚３ａにピン（図示せず）によってピン結合され、その下端部が水平部材直上の陸脚３ｂにピン（図示せず）によってピン結合されている。ここで、ピン結合とは、斜材４ｃの端部がピンによって海脚３ａ及び陸脚３ｂに剛結合されていることを云う。
【００１８】
一方、水平部材５は、図２に示すように、一方の端部（海側端部）がピン１１によって海脚３ａにピン支持され、他の一方の端部（陸側端部）がピン１１によって陸脚３ｂにピン支持されている。ここで、ピン支持とは、水平部材５の端部に設けた貫通孔と、海脚３ａ及び陸脚３ｂに設けたブラケット１０の貫通孔にピン１１を挿入して水平部材５を支持することを云う。
【００１９】
更に、本発明では、水平部材５の海側部分と海脚３ａとの間に固定手段１２ａを掛け渡す一方、水平部材５の陸側部分と陸脚３ｂとの間に固定手段１２ｂを掛け渡している。
【００２０】
この固定手段１２ａ，１２ｂは、せん断ピン１３と、円弧状又は直線状に形成されたアーム１４及びブラケット１５から構成されている。この例では、水平部材５の両側にそれぞれアーム１４を設け、海脚３ａ及び陸脚３ｂの双方にブラケット１５を設けているが、これに限定せず、例えば、水平部材５の両側にそれぞれブラケット１５を設け、海脚３ａ及び陸脚３ｂの双方にアーム１４を設けてもよい。
【００２１】
アーム１４及びブラケット１５は、予め穿孔された貫通孔（図示せず）が互いに一致するように配置される。そして、一致した２つの貫通孔にせん断ピン１３を挿入して水平部材５の端部を海脚３ａ及び陸脚３ｂに固定する。
【００２２】
次に、コンテナクレーンの動作について説明する。通常時は、脚部構造物２が剛構造であるからブーム６及びガーダ７が揺れ難くなり、安定してコンテナを荷役することができる。
【００２３】
他方、地震時（例えば、大規模地震時）に、水平部材（ポータルタイビーム）５の端部と海脚３ａ及び陸脚３ｂとを固定している固定手段１２ａ，１２ｂのせん断ピン１３が破断すると、水平部材（ポータルタイビーム）５の支持構造がピン１１によるピン支持のみになる。それ故、脚部構造物２のポータル構造（ラーメン構造）がしなやかになり、耐震性が向上することからコンテナクレーン１の揺れが抑制される。
【００２４】
地震の終息後は、脚部構造物２を初期状態に復帰させて、水平部材（ポータルタイビーム）５の両端部に設けたアーム１４の貫通孔と、海脚３ａ及び陸脚３ｂに設けた貫通孔とを互いに一致させると共に、この２つの貫通孔にせん断ピン１３を挿入して水平部材５の端部を海脚３ａ及び陸脚３ｂに固定する。
【００２５】
次に、図３に本発明に係るコンテナクレーンの第２の実施形態を示す。このコンテナクレーン１は、脚部構造物２の上部にブーム６及びガーダ７を設置し、前記脚部構造物２の四隅の下部に走行装置８を設けている。更に、脚部構造物２の四隅と走行装置８の間に免震装置２０を設けている。
【００２６】
免震装置２０は、図５に示すように、ゴム板と金属板とを交互に積層させた積層ゴム２１と、脚部構造物２の浮上りを防止する浮上り防止手段２２と、拘束手段２３と、浮上り防止手段２２の拘束を解除する拘束解除手段２４と、オイルダンパ２５から構成されている。
【００２７】
浮上り防止手段２２は、図６に示すように、左右一対のリンク機構２８によって構成されている。各リンク機構２８は、リンク２９に設けられている上下二つの長孔３０に別々に挿通した軸３１，３２を上下のブラケット３３，３４によって支持している。上部ブラケット３３は、脚部構造物２の下部に固定され、下部ブラケット３４は、走行装置８の上部に固定されている。
【００２８】
図５に示すように、浮上り防止手段２２には、脚部構造物２の水平方向（海陸方向）の揺れを拘束する拘束手段２３が設けられている。拘束手段２３は、左右の軸３１，３２間にＸ状に架橋した２組のリンク３６によって構成されている。各リンク３６は、短片部３
７と長片部３８からなり、これらはせん断ピン３９によって連結されている。このせん断ピン３９は、設計値以上の応力が作用すると破断するように設計されており、所謂拘束解除手段を構成している。
【００２９】
また、拘束手段２３の反対側に、地震終息後に脚部構造物２を初期位置に戻すオイルダンパ２５が設けられている。このオイルダンパ２５は、シリンダ部４１が走行装置８の上部に固定され、ピストンロッド部４２が脚部構造物２の下部に固定されている。
【００３０】
図３に示すように、上記脚部構造物２は、海脚３ａと、陸脚３ｂと、この海脚及び陸脚間に水平に配した水平部材（「ポータルタイビーム」とも云う）５及び前記海脚及び陸脚間に斜めに配置した斜材４ｃによって構成されている。そして、ガーダ７上にトロリ（荷役装置）９を搭載している。
【００３１】
斜材４ｃは、その上端部がガーダ直下の海脚３ａにピン（図示せず）によってピン結合され、その下端部が水平部材直上の陸脚３ｂにピン（図示せず）によってピン結合されている。ここで、ピン結合とは、斜材４ｃの端部がピンによって海脚３ａ及び陸脚３ｂに剛結合されていることを云う。
【００３２】
一方、水平部材５は、図４に示すように、一方の端部（海側端部）がピン１１によって海脚３ａにピン支持され、他の一方の端部（陸側端部）がピン１１によって陸脚３ｂにピン支持されている。ここで、ピン支持とは、水平部材５の端部に設けた貫通孔と、海脚３ａ及び陸脚３ｂに設けたブラケット１０の貫通孔にピン１１を挿入して水平部材５を支持することを云う。
【００３３】
更に、本発明では、水平部材５の海側部分と海脚３ａとの間に固定手段１２ａを掛け渡す一方、水平部材５の陸側部分と陸脚３ｂとの間に固定手段１２ｂを掛け渡している。
【００３４】
この固定手段１２ａ，１２ｂは、せん断ピン１３と、円弧状又は直線状に形成されたアーム１４及びブラケット１５から構成されている。この例では、水平部材５の両側にそれぞれアーム１４を設け、海脚３ａ及び陸脚３ｂの双方にブラケット１５を設けているが、これに限定せず、例えば、水平部材５の両側にそれぞれブラケット１５を設け、海脚３ａ及び陸脚３ｂの双方にアーム１４を設けてもよい。
【００３５】
アーム１４及びブラケット１５は、予め穿孔された貫通孔（図示せず）が互いに一致するように配置される。そして、一致した２つの貫通孔にせん断ピン１３を挿入して水平部材５の端部を海脚３ａ及び陸脚３ｂに固定する。
【００３６】
次に、コンテナクレーンの動作について説明する。通常時は、脚部構造物２が剛構造であるからブーム６及びガーダ７が揺れ難くなり、安定してコンテナを荷役することができる。
【００３７】
他方、地震時（例えば、大規模地震時）に、水平部材（ポータルタイビーム）５の端部と海脚３ａ及び陸脚３ｂとを固定している固定手段１２ａ，１２ｂのせん断ピン１３が破断すると、水平部材（ポータルタイビーム）５の支持構造がピン１１によるピン支持のみになる。それ故、脚部構造物２のポータル構造（ラーメン構造）がしなやかになり、耐震性が向上することからコンテナクレーン１の揺れが抑制される。
【００３８】
更に、免震装置２０における拘束手段２３のせん断ピン３９がせん断することから地震による振動が免震装置２０における積層ゴム２１によって吸収される。
【００３９】
地震の終息後は、脚部構造物２を初期状態に復帰させて、水平部材（ポータルタイビーム）５の両端部に設けたアーム１４の貫通孔と、海脚３ａ及び陸脚３ｂに設けた貫通孔とを互いに一致させると共に、この２つの貫通孔にせん断ピン１３を挿入して水平部材５の端部を海脚３ａ及び陸脚３ｂに固定する。
【００４０】
以上の説明では、固定手段１２を水平部材（ポータルタイビーム）５の両端部に配置した場合について説明したが、固定手段１２を水平部材（ポータルタイビーム）５の両端部の何れか一方のみに配置しても同様の効果が得られる。
【００４１】
なお、固定手段としては、せん断ピンの代わりに油圧ダンパを適用しても差し障りがない。
【符号の説明】
【００４２】
２脚部構造物
３ａ海脚
３ｂ陸脚
４ｃ斜材
５水平部材
６ブーム
７ガーダ
８走行装置
９荷役装置
１１ピン
１２固定手段
【図１】
0006169518.tif 000002
【図２】
0006169518.tif 000003
【図３】
0006169518.tif 000004
【図４】
0006169518.tif 000005
【図５】
0006169518.tif 000006
【図６】
0006169518.tif 000007
【図７】
0006169518.tif 000008